(57)【特許請求の範囲】
【請求項１】
２枚の半割りパレットの桁同士を突き合わせて溶着することにより製造される合成樹脂製パレットにおいて、前記半割りパレットのデッキボードを補強するために、前記デッキボードの下面に垂下された縦方向及び横方向に延設されているリブの肉厚が、前記デッキボードの肉厚より厚く形成されているとともに、前記縦方向及び横方向に延設されているリブにより囲まれた方形状のデッキボードの下面領域に、該下面領域より小さく、且つ、前記下面領域と略相似状の前記デッキボードの肉厚より厚い方形状の肉厚領域を形成することにより、射出成型後の半割りパレットの冷却過程におけるリブとデッキボードとの収縮差を減少させるように構成されていることを特徴とする合成樹脂製パレット。
【発明の詳細な説明】
【０００１】
【発明の属する技術分野】
本発明は、物品の運搬、収納、保管等に使用される合成樹脂製パレットに関するものである。
【０００２】
【従来の技術】
従来、図４に示されているように、デッキボード１の下面の角部に隅桁２が形成され、また、隅桁２の中間に中間桁３が形成され、更に、デッキボード１の下面中央部に中央桁４が形成された、合成樹脂製パレットを水平に２分割した形状の半割りパレットＰ’を射出成型し、このような半割りパレットＰ’を、２枚、互いの隅桁２、中間桁３及び中央桁４同士を突き合わせるようにして溶着することにより製造された、図５に示されているような合成樹脂製パレットＰが知られている。また、上記の半割りパレットＰ’は、図６に示されているように、合成樹脂製パレットＰの軽量化のために、デッキボード１の肉厚を薄くするとともに、肉厚の薄いデッキボード１を補強するために、デッキボード１の下面には、デッキボード１の肉厚より厚い肉厚を有するリブ５が、縦方向及び横方向に垂設されている。
【０００３】
【発明が解決しようとする課題】
上述した半割りパレットＰ’のデッキボード１は、その肉厚１ａが、縦方向及び横方向に延設されたリブ５の肉厚５ａより薄いために、射出成型後の半割りパレットＰ’の冷却過程において、肉厚の厚いリブ５が、肉厚の薄いデッキボード１に比べて、より大きく収縮することになる。このように、肉厚の厚いリブ５が、肉厚の薄いデッキボード１に比べて、より大きく収縮するために、図７に示されているように、縦方向及び横方向に延設されたリブ５に囲まれたデッキボード１が、上方に湾曲１ｂするとともに、リブ５の上方に位置するデッキボード１の表面に、所謂、ひけ１ｃが発生するという問題がある。デッキボード１に、このような湾曲１ｂやひけ１ｃができると、製品としての商品価値が落ちるとともに、デッキボード１に載置された段ボール箱等の軟質の積載物が変形したり、傷が付いたりすることになり、また、デッキボード１に、グロメット等の滑り止め用ゴムが配設されている場合には、滑り止め用ゴムの効き目が低下する等の問題がある。
【０００４】
本発明の目的は、上述した従来の合成樹脂製パレットが有する課題が解決された合成樹脂製パレットを提供することにある。
【０００５】
【課題を解決するための手段】
本発明は、上述した目的を達成するために、２枚の半割りパレットの桁同士を突き合わせて溶着することにより製造される合成樹脂製パレットにおいて、前記半割りパレットのデッキボードを補強するために、前記デッキボードの下面に垂下された縦方向及び横方向に延設されているリブの肉厚が、前記デッキボードの肉厚より厚く形成されているとともに、前記縦方向及び横方向に延設されているリブにより囲まれた方形状のデッキボードの下面領域に、該下面領域より小さく、且つ、前記下面領域と略相似状の前記デッキボードの肉厚より厚い方形状の肉厚領域を形成することにより、射出成型後の半割りパレットの冷却過程におけるリブとデッキボードとの収縮差を減少させるようにしたものである。
【０００６】
【実施例】
以下に、本発明の合成樹脂製パレットを構成する半割りパレットの一部垂直断面図である図１、本発明の合成樹脂製パレットを構成する半割りパレットの部分平面図である図２及び本発明の合成樹脂製パレットを構成する半割りパレットの他の実施例の一部垂直断面図である図３を用いて、本発明の実施例について説明するが、本発明の趣旨を越えない限り、何ら、本実施例に限定されるものではない。
【０００７】
１０は、上述した従来の半割りパレットＰ’のデッキボード１と同様のデッキボードであり、５０は、上述した従来の半割りパレットＰ’のリブ５と同様のリブであり、デッキボード１０の下面に、縦方向及び横方向に延設するように、垂下されている。上述した従来の半割りパレットＰ’と同様に、合成樹脂製パレットＰの軽量化のために、デッキボード１０の肉厚は薄く形成されており、また、肉厚の薄いデッキボード１０を補強するために、デッキボード１０の下面に垂下されたリブ５０は、その肉厚が、デッキボード１０の肉厚より厚く形成されている。
【０００８】
ｈ１は、縦方向及び横方向に延設するリブ５０に囲まれたデッキボード１０の下面の一部に形成されたデッキボード１の肉厚領域である。本実施例においては、肉厚部としての肉厚領域ｈ１は、縦方向及び横方向に延設するリブ５０に囲まれた方形状のデッキボード１０の下面領域より小さい、該デッキボード１０の下面領域と略相似状の方形に形成されている。
【０００９】
上述したように、縦方向及び横方向に延設するリブ５０に囲まれたデッキボード１０の下面の一部に、肉厚領域ｈ１を形成したので、射出成型後の半割りパレットＰ’の冷却過程において、肉厚の厚いリブ５０とデッキボード１０との収縮差が減少し、従って、縦方向及び横方向に延設されたリブ５０に囲まれたデッキボード１０が、上方に湾曲することが防止できるとともに、リブ５０の上方に位置するデッキボード１０の表面に、所謂、ひけが形成されることもない。このように、デッキボード１０に湾曲やひけが形成されることがなく、その表面が平らに形成されるので、デッキボードに、滑り止め用ゴムが配設されている場合にも、滑り止め用ゴムの効き目が低下するようなことがない。
【００１０】
図３に示されている実施例は、上述した肉厚領域ｈ１に比べて幅が狭く、しかも、デッキボード１０の下面からの距離が大きな凸条ｈ２を、縦方向及び横方向に延設するリブ５０に囲まれたデッキボード１０の下面に垂下したものである。このような肉厚部としての凸条ｈ２は、縦方向及び横方向に延設するリブ５０に囲まれたデッキボード１０の下面に、複数形成することもできる。このような凸条ｈ２を形成することにより、上述した肉厚領域ｈ１を形成した場合と同様に、射出成型後の半割りパレットＰ’の冷却過程において、肉厚の厚いリブ５０とデッキボード１０との収縮差が減少し、縦方向及び横方向に延設されたリブ５０に囲まれたデッキボード１０が、上方に湾曲することが防止できるとともに、リブ５０の上方に位置するデッキボード１０の表面に、ひけが形成されることもない。
【００１１】
【発明の効果】
本発明は、以上説明したように構成されているので、以下に記載する効果を奏することができる。
【００１２】
射出成型後の半割りパレットの冷却過程において、リブとデッキボードとの収縮差が減少し、縦方向及び横方向に延設されたリブに囲まれたデッキボードが、上方に湾曲することが防止できるとともに、リブの上方に位置するデッキボードの表面に、所謂、ひけが形成されることもない。従って、合成樹脂製パレットの製品としての商品価値が落ちることがなく、また、デッキボードに載置された段ボール箱等の軟質の積載物が変形したり、傷が付いたりすることもない。更に、デッキボードに、滑り止め用ゴムが配設されている場合には、滑り止め用ゴムの効き目が低下するようなこともない。
【図面の簡単な説明】
【図１】図１は本発明の合成樹脂製パレットを構成する半割りパレットの一部垂直断面図である。
【図２】図２は本発明の合成樹脂製パレットを構成する半割りパレットの部分平面図である。
【図３】図３は本発明の合成樹脂製パレットを構成する半割りパレットの他の実施例の一部垂直断面図である。
【図４】図４は従来の合成樹脂製パレットを構成する半割りパレットの斜視図である。
【図５】図５は２枚の半割りパレットが溶着されて形成された合成樹脂製パレットの斜視図である。
【図６】図６は従来の合成樹脂製パレットを構成する半割りパレットの一部垂直断面図である。
【図７】図７は同じく従来の合成樹脂製パレットを構成する半割りパレットの一部垂直断面図である。
【符号の説明】
１０・・・・・・・デッキボード
５０・・・・・・・リブ
ｈ１、ｈ２・・・・肉厚部
【図１】
0004041552.tif 000002
【図２】
0004041552.tif 000003
【図３】
0004041552.tif 000004
【図４】
0004041552.tif 000005
【図５】
0004041552.tif 000006
【図６】
0004041552.tif 000007
【図７】
0004041552.tif 000008